【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
注射器を修正するためのプランジャロッド止め具デバイスであって、前記プランジャロッド止め具デバイスは、
前記注射器のプランジャに取り付けられるように構成される本体と、
前記本体から延在するスタンドオフであって、前記スタンドオフは、前記プランジャが押下されたときに前記注射器上の固定された要素に接触するように構成される、スタンドオフと
を備える、プランジャロッド止め具デバイス。
【請求項２】
前記固定された要素は、前記注射器のフィンガフランジである、請求項１に記載のプランジャロッド止め具デバイス。
【請求項３】
前記固定された要素は、前記注射器の注射筒である、請求項１に記載のプランジャロッド止め具デバイス。
【請求項４】
前記固定された要素との接触は、前記プランジャが押下されることを防止する、請求項１に記載のプランジャロッド止め具デバイス。
【請求項５】
前記本体は、前記プランジャを受容するための陥凹された面積を備える、請求項１に記載のプランジャロッド止め具デバイス。
【請求項６】
前記陥凹された面積は、前記プランジャを固着するための潰しリブまたはスナップフィットを備える、請求項５に記載のプランジャロッド止め具デバイス。
【請求項７】
前記スタンドオフは、前記本体に成型される、請求項１に記載のプランジャロッド止め具デバイス。
【請求項８】
前記スタンドオフは、前記本体から取外可能である、請求項１に記載のプランジャロッド止め具デバイス。
【請求項９】
第２のスタンドオフをさらに備える、請求項１に記載のプランジャロッド止め具デバイス。
【請求項１０】
前記スタンドオフの長さは、調節可能である、請求項１に記載のプランジャロッド止め具デバイス。
【請求項１１】
前記スタンドオフの長さを調節するように構成されるダイヤルをさらに備える、請求項１０に記載のプランジャロッド止め具デバイス。
【請求項１２】
ある投薬量の液体を注射器から送達するためのシステムであって、前記システムは、
注射器であって、前記注射器は、その上にプランジャを備える、注射器と、
前記注射器に取り付けられるように構成されるプランジャロッド止め具デバイスであって、前記プランジャロッド止め具デバイスは、前記注射器上の前記プランジャに取り付けられるように構成される本体と、前記本体から延在するスタンドオフとを備える、プランジャロッド止め具デバイスと
を備え、
前記プランジャは、前記スタンドオフが前記注射器のフィンガフランジに接触するまで押下可能なように構成され、
前記プランジャロッド止め具デバイスは、前記スタンドオフが前記フィンガフランジと接触しないように、再位置付け可能なように構成され、
前記スタンドオフと前記本体との間の距離に対応する測定された体積の液体が前記注射器から送達されるように、前記プランジャは、前記本体が前記フィンガフランジに接触するまで押下可能なように構成される、システム。
【請求項１３】
前記プランジャロッド止め具デバイスは、前記フィンガフランジに対する前記プランジャロッド止め具デバイスの回転によって再位置付け可能である、請求項１２に記載のシステム。
【請求項１４】
前記プランジャロッド止め具デバイスは、ダイヤルを旋回させることによって再位置付け可能である、請求項１２に記載のシステム。
【請求項１５】
注射器を修正し、前記注射器の注射筒の全体積未満の測定された用量を送達するためのシステムであって、前記システムは、
前記注射器の注射筒に除去可能に取り付けられるように構成されるアタッチメントクリップと、前記アタッチメントクリップから近位に延在する伸長部材とを備える第１のプランジャロッド止め具であって、前記伸長部材は、支承表面を有し、前記支承表面は、前記アタッチメントクリップが前記注射筒に取り付けられたときに前記注射器のプランジャに対して支承し、それによって、前記プランジャが前記注射筒に対して第１の位置を越えて押下されることを防止するように構成される、第１のプランジャロッド止め具と、
前記第１のプランジャロッド止め具に実質的に類似する第２のプランジャロッド止め具であって、前記第２のプランジャロッド止め具の伸長部材は、前記第２のプランジャロッド止め具の支承表面が前記注射筒に対して第２の位置を越えて前記プランジャが押下されることを防止するように、前記第１のプランジャロッド止め具の伸長部材の長さより短い長さを有する、第２のプランジャロッド止め具と
を備え、
前記プランジャを前記第１の位置から前記第２の位置に押下することは、前記注射筒内に含有される液体の測定された用量を前記注射筒から排出させる、システム。
【請求項１６】
前記第１のプランジャロッド止め具の伸長部材は、前記第１のプランジャロッド止め具から取外可能であり、前記第２のプランジャロッド止め具の伸長部材は、前記第２のプランジャロッド止め具から取外可能である、請求項１５に記載のシステム。
【請求項１７】
前記第１のプランジャロッド止め具および前記第２のプランジャロッド止め具は、それぞれ、前記第１のプランジャロッド止め具の伸長部材を前記第１のプランジャロッド止め具から除去すること、および、前記第２のプランジャロッド止め具の伸長部材を前記第２のプランジャロッド止め具から除去することによって、再位置付け可能である、請求項１６に記載のシステム。
【請求項１８】
前記第１の位置は、前記注射筒内に残っている液体の第１の体積に対応し、前記第２の位置は、前記注射筒内に残っている液体の第２の体積に対応し、前記液体の測定された用量は、前記第１の体積と前記第２の体積との間の差異である、請求項１５に記載のシステム。
【請求項１９】
前記液体の測定された用量は、０．３ｍＬ未満である、請求項１５に記載のシステム。
【請求項２０】
前記本体は、前記プランジャを取外可能に捕捉するように定寸されるスロットを備え、前記スロットは、前記本体の外側半径方向表面において配置される、請求項１２に記載のシステム。
【手続補正２】
【補正対象書類名】明細書
【補正対象項目名】００２４
【補正方法】変更
【補正の内容】
【００２４】
いくつかの実施形態では、本方法はさらに、第２のプランジャロッド止め具と、第１および第２のプランジャロッド止め具に実質的に類似する、第３のプランジャロッド止め具を置換するステップを含む。第３のプランジャロッド止め具の伸長部材は、第１および第２のプランジャロッド止め具の伸長部材の長さより短い長さを有する。本方法はさらに、プランジャが第２のプランジャロッド止め具の伸長部材上の支承表面に接触するまで、プランジャを押下し、それによって、第２の伸長部材と第３の伸長部材との間の長さの差異に対応する、第２の測定された体積の液体を送達するステップを伴ってもよい。
本発明は、例えば、以下を提供する。
（項目１）
注射器を修正するためのプランジャロッド止め具デバイスであって、前記プランジャロッド止め具デバイスは、
前記注射器のプランジャに取り付けられるように構成される本体と、
前記本体から延在するスタンドオフであって、前記スタンドオフは、前記プランジャが押下されたときに前記注射器上の固定された要素に接触するように構成される、スタンドオフと
を備える、プランジャロッド止め具デバイス。
（項目２）
前記固定された要素は、前記注射器のフィンガフランジである、項目１に記載のプランジャロッド止め具デバイス。
（項目３）
前記固定された要素は、前記注射器の注射筒である、項目１に記載のプランジャロッド止め具デバイス。
（項目４）
前記固定された要素との接触は、前記プランジャが押下されることを防止する、項目１に記載のプランジャロッド止め具デバイス。
（項目５）
前記本体は、弾力性材料を含む、項目１に記載のプランジャロッド止め具デバイス。
（項目６）
前記弾力性材料は、樹脂である、項目１に記載のプランジャロッド止め具デバイス。
（項目７）
前記本体は、前記プランジャを受容するための陥凹された面積を備える、項目１に記載のプランジャロッド止め具デバイス。
（項目８）
前記陥凹された面積は、前記プランジャを固着するための潰しリブまたはスナップフィットを備える、項目１に記載のプランジャロッド止め具デバイス。
（項目９）
前記スタンドオフは、前記本体に成型される、項目１に記載のプランジャロッド止め具デバイス。
（項目１０）
前記スタンドオフは、前記本体から取外可能である、項目１に記載のプランジャロッド止め具デバイス。
（項目１１）
第２のスタンドオフをさらに備える、項目１に記載のプランジャロッド止め具デバイス。
（項目１２）
前記スタンドオフの長さは、調節可能である、項目１に記載のプランジャロッド止め具デバイス。
（項目１３）
前記スタンドオフの長さを調節するように構成されるダイヤルをさらに備える、項目１２に記載のプランジャロッド止め具デバイス。
（項目１４）
注射器を修正するためのプランジャロッド止め具デバイスであって、
前記注射器上の固定された要素に取り付けられるように構成される本体と、
前記本体から延在するスタンドオフであって、前記スタンドオフは、プランジャが押下されたときに前記注射器のプランジャに接触するように構成される、スタンドオフと
を備える、プランジャロッド止め具デバイス。
（項目１５）
前記固定された要素は、前記注射器のフィンガフランジである、項目１４に記載のプランジャロッド止め具デバイス。
（項目１６）
前記固定された要素は、前記注射器の注射筒である、項目１４に記載のプランジャロッド止め具デバイス。
（項目１７）
前記固定された要素との接触は、前記プランジャが押下されることを防止する、項目１４に記載のプランジャロッド止め具デバイス。
（項目１８）
前記本体は、弾力性材料を含む、項目１４に記載のプランジャロッド止め具デバイス。
（項目１９）
前記弾力性材料は、樹脂である、項目１４に記載のプランジャロッド止め具デバイス。
（項目２０）
前記本体は、前記固定された要素を受容するための陥凹された面積を備える、項目１４に記載のプランジャロッド止め具デバイス。
（項目２１）
前記陥凹された面積は、前記固定された要素を固着するための潰しリブまたはスナップフィットを備える、項目１４に記載のプランジャロッド止め具デバイス。
（項目２２）
前記スタンドオフは、前記本体に成型される、項目１４に記載のプランジャロッド止め具デバイス。
（項目２３）
前記スタンドオフは、前記本体から取外可能である、項目１４に記載のプランジャロッド止め具デバイス。
（項目２４）
第２のスタンドオフをさらに備える、項目１４に記載のプランジャロッド止め具デバイス。
（項目２５）
前記スタンドオフの長さは、調節可能である、項目１４に記載のプランジャロッド止め具デバイス。
（項目２６）
前記スタンドオフの長さを調節するように構成されるダイヤルをさらに備える、項目２５に記載のプランジャロッド止め具デバイス。
（項目２７）
ある投薬量の液体を注射器から送達するための方法であって、前記方法は、
前記注射器上のプランジャに取り付けられるように構成される本体と、前記本体から延在するスタンドオフとを備えるプランジャロッド止め具デバイスを注射器に取り付けることと、
前記スタンドオフが前記注射器のフィンガフランジに接触するまで、前記プランジャを押下することと、
前記スタンドオフが前記フィンガフランジと接触しないように、前記プランジャロッド止め具デバイスを再位置付けすることと、
前記本体が前記フィンガフランジに接触するまで、前記プランジャを押下し、それによって、前記注射器から、前記スタンドオフと前記本体との間の距離に対応する測定された体積の液体を送達することと
を含む、方法。
（項目２８）
前記プランジャロッド止め具を再位置付けすることは、前記プランジャロッド止め具を前記フィンガフランジに対して回転させることを含む、項目２７に記載の方法。
（項目２９）
伸長部材は、前記プランジャロッド止め具から取外可能である、項目２７に記載の方法。
（項目３０）
再位置付けすることは、前記伸長部材を前記プランジャロッド止め具から除去することを含む、項目２９に記載の方法。
（項目３１）
前記プランジャロッド止め具を再位置付けすることは、ダイヤルを旋回させることを含む、項目２７に記載の方法。
（項目３２）
注射器を修正し、前記注射器の注射筒の全体積未満の測定された用量を送達するためのシステムであって、前記システムは、
前記注射器の注射筒に除去可能に取り付けられるように構成されるアタッチメントクリップと、前記アタッチメントクリップから近位に延在する伸長部材とを備える第１のプランジャロッド止め具であって、前記伸長部材は、支承表面を有し、前記支承表面は、前記アタッチメントクリップが前記注射筒に取り付けられたときに前記注射器のプランジャに対して支承し、それによって、前記プランジャが前記注射筒に対して第１の位置を越えて押下されることを防止するように構成される、第１のプランジャロッド止め具と、
前記第１のプランジャロッド止め具に実質的に類似する第２のプランジャロッド止め具であって、前記第２のプランジャロッド止め具の伸長部材は、前記第２のプランジャロッド止め具の支承表面が前記注射筒に対して第２の位置を越えて前記プランジャが押下されることを防止するように、前記第１のプランジャロッド止め具の伸長部材の長さより短い長さを有する、第２のプランジャロッド止め具と
を備え、前記プランジャを前記第１の位置から前記第２の位置に押下することは、前記注射筒内に含有される液体の測定された用量を前記注射筒から排出させる、システム。
（項目３３）
前記アタッチメントクリップは、前記注射筒上のフィンガフランジに取り付けられるように構成される、項目３２に記載のシステム。
（項目３４）
前記アタッチメントクリップは、前記アタッチメントクリップが前記注射筒に取り付けられたときに前記プランジャに対して垂直に配置される略平坦表面を備える、項目３２に記載のシステム。
（項目３５）
前記伸長部材は、前記アタッチメントクリップの略平坦表面から垂直に延在する、項目３４に記載のシステム。
（項目３６）
前記伸長部材は、前記プランジャを部分的に囲繞するように構成される凹面形状を有する、項目３２に記載のシステム。
（項目３７）
前記支承表面は、前記プランジャの近位端フランジに対して支承する、項目３２に記載のシステム。
（項目３８）
前記第１の位置は、前記注射筒内に残っている液体の第１の体積に対応し、前記第２の位置は、前記注射筒内に残っている液体の第２の体積に対応し、前記液体の測定された用量は、前記第１の体積と前記第２の体積との間の差異である、項目３２に記載のシステム。
（項目３９）
前記液体の測定された用量は、０．３ｍＬ未満である、項目３２に記載のシステム。
（項目４０）
前記液体の測定された用量は、１０μＬ未満である、項目３２に記載のシステム。
（項目４１）
前記第１および第２のプランジャロッド止め具に実質的に類似する第３のプランジャロッド止め具をさらに備え、前記第３のプランジャロッド止め具の伸長部材は、前記第１および第２のプランジャロッド止め具の前記伸長部材の長さより短い長さを有する、項目３２に記載のシステム。